(57)【要約】      （修正有）【課題】着用性の低下を招くことなく、着用者の足や下腿を適切に保護することができる安全長靴を提供する。【解決手段】着用者の足の底が接触する中底２０ａ及び中底の反対側であって中底と表裏をなす靴底２０ｂを有する靴底部２０、靴底部に設けられて着用者の足を覆う足部３０及び足部から連続して形成されて着用者の下腿を覆う胴部４０を備える安全長靴１０において、足部から胴部に亘って配置される、第１の繊維強化プラスチックからなる第１補強部材１３と、第１補強部材に積層されて着用者の下腿の少なくとも脛を保護する、第１の繊維強化プラスチックとは異なる第２の繊維強化プラスチックからなる第２補強部材１４と、を備える。【選択図】図１
2020142029.tif 000002
【特許請求の範囲】
【請求項１】
着用者の足の底が接触する中底及び該中底の反対側であって該中底と表裏をなす靴底を有する靴底部、該靴底部に設けられて着用者の足を覆う足部及び該足部から連続して形成されて前記着用者の下腿を覆う胴部を備える安全長靴において、
前記足部から前記胴部に亘って配置される、第１の繊維強化プラスチックからなる第１補強部材と、
該第１補強部材に積層されて前記着用者の下腿の少なくとも脛を保護する、前記第１の繊維強化プラスチックとは異なる第２の繊維強化プラスチックからなる第２補強部材と、
を備えることを特徴とする安全長靴。
【請求項２】
前記第１の繊維強化プラスチックがパラ系芳香族アラミド繊維であることを特徴とする請求項１に記載の安全長靴。
【請求項３】
前記第２の繊維強化プラスチックが少なくともガラス繊維を含む繊維であることを特徴とする請求項１または２に記載の安全長靴。
【請求項４】
前記第２補強部材は、
前記足部における前記第１補強部材に積層されて前記着用者の足の甲を保護することを特徴とする請求項１〜３のいずれか１項に記載の安全長靴。
【請求項５】
前記第１補強部材に前記第２補強部材が積層された部位における前記足部及び前記胴部に対して電動型のチェンソーでソーチェーンの回転速度を２０ｍ／ｓとして耐切創試験を行う場合の耐切創荷重が３０Ｎであることを特徴とする請求項１〜４のいずれか１項に記載の安全長靴。
【請求項６】
前記足部の先端側に内装されて靴底部の前記中底側に当接する下端縁を有して前記着用者の足の指を保護する金属製の先芯を備え、
該先芯の前記下端縁が前記中底に当接する位置に対応する前記靴底部の前記靴底側から突出するブロック状の突出部が形成されたことを特徴とする請求項１〜５のいずれか１項に記載の安全長靴。
【発明の詳細な説明】
【技術分野】
【０００１】
本発明は、安全長靴、特に、着用者の足の底が接触する中底及び中底の反対側であって中底と表裏をなす靴底を有する靴底部、靴底部に設けられて着用者の足を覆う足部及び足部から連続して形成されて着用者の下腿を覆う胴部を備える安全長靴に関する。
【背景技術】
【０００２】
例えば、山林や荒地等を歩行したり、伐採といった作業を行ったりする場合は、いわゆる安全長靴が着用されることがある。この種の安全長靴には、着用者の足や下腿を保護する観点から、補強部材が設けられることがある。
【０００３】
特許文献１には、着用者の下腿の脛に相当する部分から足の甲に相当する部分を経て爪先に相当する部分に亘る部分が、繊維強化プラスチックであるポリアレート繊維あるいはアラミド繊維で被覆されて、チェンソー等の伐採具の刃が着用者の足や下腿に接触した際に着用者の足や下腿が損傷することを防止することを目的とした安全長靴が開示されている。
【先行技術文献】
【特許文献】
【０００４】
【特許文献１】実用新案登録第３０３６９５５号公報
【発明の概要】
【発明が解決しようとする課題】
【０００５】
ところで、特許文献１の安全長靴のように、伐採具の刃が着用者の足に接触した際に、ポリアレート繊維あるいはアラミド繊維によって着用者の足や下腿を保護する程度の強度を確保するためには、これらの繊維強化プラスチックを幾重にも積層する必要がある。
【０００６】
このように、繊維強化プラスチックを幾重にも積層するとすれば、下腿の脛に相当する部分から足の甲に相当する部分を経て爪先に相当する部分に亘る部分が硬化して変形量が小さくなることから、安全長靴の着脱が困難になったり、良好な着用感覚が損われたり、さらには重量が増大したりして、安全長靴の着用性が低下することが懸念される。
【０００７】
本発明は、上記事情に鑑みてなされたものであり、着用性の低下を招くことなく、着用者の足や下腿を適切に保護することができる安全長靴を提供することを課題とするものである。
【課題を解決するための手段】
【０００８】
上記目的を達成するための安全長靴は、着用者の足の底が接触する中底及び中底の反対側であって中底と表裏をなす靴底を有する靴底部、靴底部に設けられて着用者の足を覆う足部及び足部から連続して形成されて着用者の下腿を覆う胴部を備える安全長靴において、足部から胴部に亘って配置される、第１の繊維強化プラスチックからなる第１補強部材と、第１補強部材に積層されて着用者の下腿の少なくとも脛を保護する、第１の繊維強化プラスチックとは異なる第２の繊維強化プラスチックからなる第２補強部材と、を備えることを特徴としている。
【０００９】
この安全長靴によれば、山林や荒地等を歩行するような場合において、地面に散逸する木の枝や残材等の尖った先端が着用者の下腿や足に接触したとしても、足部から胴部に亘って第１補強部材が配置され、かつ着用者の下腿の少なくとも脛に相当する部分に第２補強部材が配置されることから、これらの尖った先端が着用者の下腿や足に突き刺さることが防止される。
【００１０】
しかも、この安全長靴は、足部から胴部に亘って配置された第１補強部材に第２補強部材が積層されるものであって、複数の補強部材が無用に積層されることがないことから、足部及び胴部が硬化することが抑制されて、これらの部位の変形量を確保することができる。
【００１１】
したがって、着脱が困難になったり、良好な着用感覚が損われたりすることがなく、安全長靴の着用性の低下を招くことがない。
【００１２】
この安全長靴は、第１の繊維強化プラスチックがパラ系芳香族アラミド繊維であることを特徴としており、第２の繊維強化プラスチックが少なくともガラス繊維を含む繊維であることを特徴としており、さらに、第２補強部材は、足部における第１補強部材に積層されて着用者の足の甲を保護することを特徴としている。
【００１３】
しかも、第１補強部材に第２補強部材が積層された部位における足部及び胴部に対して電動型のチェンソーでソーチェーンの回転速度を２０ｍ／ｓとして耐切創試験を行う場合の耐切創荷重が３０Ｎであることを特徴としている。
【００１４】
一方、この安全長靴は、足部の先端側に内装されて靴底部の中底側に当接する下端縁を有して着用者の足の指を保護する金属製の先芯を備え、先芯の下端縁が中底に当接する位置に対応する靴底部の靴底側から突出するブロック状の突出部が形成されたことを特徴としている。
【発明の効果】
【００１５】
この発明によれば、着用性の低下を招くことがなく、着用者の足や下腿が適切に保護される。
【図面の簡単な説明】
【００１６】
【図１】本発明の実施の形態に係る安全長靴の構成の概略を説明する図である。
【図２】図１の矢線Ａから本実施の形態に係る安全長靴を見た場合の概略を説明する図である。
【図３】図２のＩＩＩ−ＩＩＩ線の断面図である。
【図４】図１の矢線Ｂで示す部分の一部破断図である。
【発明を実施するための形態】
【００１７】
次に、図１〜図４に基づいて、本発明の実施の形態に係る安全長靴について説明する。
【００１８】
図１は、本実施の形態に係る安全長靴の構成の概略を説明する図であり、図示のように、安全長靴１０は、靴底部２０、靴底部２０に設けられる足部３０、足部３０から連続して形成される胴部４０及び胴部４０の上端縁に形成されるフード５０を備える。
【００１９】
靴底部２０は、着用者の爪先側の先端２０Ａ及び着用者の踵側の後端２０Ｂを有するゴム製であって、着用者の足の底が接触する中底２０ａ及びこの中底２０ａの反対側であって中底２０ａと表裏をなす靴底２０ｂを有して形成される。
【００２０】
図２は、図１の矢線Ａから安全長靴を見た場合の概略を説明する図である。図示のように、この靴底部２０の靴底２０ｂには、本実施の形態では、靴底２０ｂ側から突出する略半球状の複数のスタッド２１及び円柱状の複数のスタッド２３が適宜配置されて、靴底２０ｂがいわゆるスパイク底として形成される。
【００２１】
図３は、図２のＩＩＩ−ＩＩＩ線の断面図である。図示のように、スタッド２１には、本実施の形態では、鋼線が折曲されて形成された弾性を有する滑り止め金具２２が埋設される。
【００２２】
この滑り止め金具２２は、水平方向に作用する弾性を有する平面視で環状の水平バネ部２２ａ、及び水平バネ部２２ａから折曲して形成されて垂直方向に作用する弾性を有する垂直バネ部２２ｂを備える。
【００２３】
この滑り止め金具２２は、本実施の形態では、例えば互いに隣接するスタッド２１にそれぞれ埋設される場合においては、水平バネ部２２ａにおいて水平方向に作用する弾性が互いに異なる水平方向に作用するようにそれぞれ埋設される。
【００２４】
さらに、靴底部２０の靴底２０ｂには、図２で示すように、靴底部２０の先端２０Ａ側において、靴底２０ｂ側から突出するブロック状の複数の突出部２４が形成される。
【００２５】
この突出部２４は、靴底２０ｂにおいて、足部３０の先端側に内装される後述する先芯１２の下端縁１２ａが当接する靴底部２０の中底２０ａに対応する位置に形成され、本実施の形態では、中底２０ａに当接する先芯１２の下端縁１２ａに沿って３基が形成される。
【００２６】
図４は、図１の矢線Ｂで示す部分の一部破断図である。図示のように、足部３０及び胴部４０は、これら足部３０及び胴部４０の内表面から外表面に向かって複数の部材が積層された積層構造であって、足部３０によって着用者の足が覆われ、胴部４０によって着用者の下腿が覆われる。
【００２７】
本実施の形態では、これら足部３０及び胴部４０の内表面としてスポンジゴム１１が配置される。このスポンジゴム１１の足部３０に相当する部分であって着用者の足の指を覆う部分、すなわち足部３０の先端側に金属製の先芯１２が内装される。
【００２８】
この先芯１２は、下端縁１２ａ及び上端縁１２ｂを有して下端縁１２ａと上端縁１２ｂとの間が着用者の足の指を覆うように湾曲した殻状に形成され、下端縁１２ａが靴底部２０の中底２０ａに当接し、上端縁１２ｂがスポンジゴム１１の足部３０に相当する部分であって着用者の足の指の根元の近傍を覆う部分に位置する。
【００２９】
この先芯１２の上端縁１２ｂに当接されるとともに、スポンジゴム１１の足部３０に相当する部分であって着用者の足の甲に相当する部分からスポンジゴム１１の胴部４０に相当する部分に、第１補強部材１３が重ね合わせられて積層されて、足部３０における着用者の足の甲に相当する部分から胴部４０の全範囲が補強される。
【００３０】
この第１補強部材１３は、第１の繊維強化プラスチックによって構成されるものであって、第１の繊維強化プラスチックは、本実施の形態では、強度の高いパラ系芳香族アラミド繊維が採用される。
【００３１】
一方、先芯１２に重ね合わせられるとともに、第１補強部材１３の足部３０に相当する部分であって着用者の足の甲に相当する部分から第１補強部材１３の胴部４０に相当する部分であって着用者の下腿の脛に相当する部分に、第２補強部材１４が重ね合わせられて積層されて、足部３０から胴部４０に相当する部分であって着用者の下腿の脛に相当する部分が補強される。
【００３２】
この第２補強部材１４は、第１の繊維強化プラスチックとは異なる第２の繊維強化プラスチックによって構成されるものであって、第２の繊維強化プラスチックは、本実施の形態では、ポリアリレート繊維とガラス繊維とが組み合わせられた強度の高い繊維が採用される。
【００３３】
第２補強部材１４として採用される繊維は、本実施の形態では、「防護服一般−機械的特性−鋭利物に対する切創抵抗性試験」（ＪＩＳ  Ｔ  ８０５２）に準拠した試験結果によれば、
耐切創荷重（Ｎ）：４３．３
切断強さ（Ｎ）：緯３４．５，経１２．１，斜１６．３
であることが確認されている。
【００３４】
この第２補強部材１４に重ね合わせられるとともに、胴部４０において第２補強部材１４が配置されていない部分においては第１補強部材１３に、胴ゴム１５が重ね合わせられて積層されて、足部３０及び胴部４０の全範囲に配置される。
【００３５】
この胴ゴム１５の足部３０に相当する部分から胴ゴム１５の胴部４０に相当する部分であって着用者の下腿の脛に相当する部分に、甲ゴム１６が重ね合わせられて積層されて、足部３０から胴部４０に相当する部分であって着用者の下腿の脛に相当する部分に配置される。
【００３６】
この甲ゴム１６の足部３０に相当する部分であって着用者の足の指に相当する部分から、甲ゴム１６の足部３０に相当する部分であって着用者の足の指の根元の近傍を覆う部分に、爪先ゴム１７が重ね合わせられて積層されて、足部３０の着用者の足の指に相当する部分から足部３０の着用者の足の指の根元の近傍を覆う部分に配置される。
【００３７】
一方、図１で示すように、胴ゴム１５の足部３０に相当する部分であって着用者の踵から足首の後部に相当する部分から、胴ゴム１５の胴部４０に相当する部分であって着用者のふくらはぎに相当する部分には、本実施の形態では、後側ゴム１８が重ね合わせられて積層されて、足部３０の着用者の足の踵から足首の後部に相当する部分から胴部４０の着用者のふくらはぎに相当する部分に配置される。
【００３８】
さらに、後側ゴム１８の足部３０に相当する部分であって着用者の踵から足首の後部に相当する部分には、本実施の形態では、踵ゴム１９が重ね合わせられて積層されて、足部３０の着用者の踵から足首の後部に相当する部分に配置される。
【００３９】
フード５０は、綿あるいは合成繊維で形成された部材であって、例えば面ファスナのような係着部材で係着されることによって着用者の下腿に装着される。
【００４０】
このような安全長靴１０を着用者が着用して、山林や荒地等を歩行するような場合において、地面に散逸する木の枝や残材等の尖った先端が着用者の下腿や足に接触したとしても、足部３０から胴部４０に亘って第１補強部材１３が配置され、かつ足部３０から胴部４０に相当する部分であって着用者の下腿の脛に相当する部分に第２補強部材１４が配置されることから、これらの尖った先端が着用者の下腿や足に突き刺さることが防止される。
【００４１】
しかも、本実施の形態の安全長靴１０は、足部３０から胴部４０に亘って配置された第１補強部材１３に第２補強部材１４が積層されるものであって、複数の補強部材が無用に積層されることがないことから、足部３０及び胴部４０が硬化することが抑制されて、これらの部位の変形量を確保することができる。
【００４２】
したがって、着脱が困難になったり、良好な着用感覚が損われたりすることがなく、安全長靴１０の着用性の低下を招くことがない。
【００４３】
さらに、本実施の形態では、第１補強部材１３には強度の高いパラ系芳香族アラミド繊維が採用され、第２補強部材１４にはポリアリレート繊維とガラス繊維とが組み合わせられた強度の高い繊維が採用されることから、耐貫通性及び耐切創性に富む。
【００４４】
一方、安全長靴１０は、着用者の足の指を覆う部分である足部３０の先端側に金属製の先芯１２が内装されることから、この部分に重量物が落下した場合であっても、着用者の足の指が損傷することが防止される。
【００４５】
しかも、この先芯１２の下端縁１２ａが中底２０ａに当接する位置に対応する靴底部２０における靴底２０ｂ側から靴底２０ｂ側から突出するブロック状の複数の突出部２４が形成されることから、先芯１２が内装された足部３０の先端側に重量物が落下した場合であっても、先芯１２が下端縁１２ａにおいて靴底２０ｂを貫通してしまうことが抑制される。
【００４６】
さらに、本実施の形態では、互いに隣接するスタッド２１に滑り止め金具２２が埋設される場合においては、水平バネ部２２ａにおいて水平方向に作用する弾性が互いに異なる水平方向に作用するようにそれぞれ埋設されることから、着用者が歩行する足場に応じて衝撃を精密に吸収することができる。
【００４７】
（実施例）
図１の矢線Ｃで示す安全長靴１０の足部３０及び図１の矢線Ｄで示す安全長靴１０の胴部４０に対して、電動型のチェンソーでソーチェーンの回転速度を２０ｍ／ｓとして耐切創試験（ＥＮ  ＩＳＯ  １１３９３−３：２０１８（旧名称  ＥＮ  ３８１−３：１９９６））を実施したところ、耐切創荷重が３０Ｎであることが確認された。
【００４８】
なお、本発明は上記実施の形態及び上記実施例に限定されることはなく、発明の趣旨を逸脱しない範囲で種々の変更が可能である。上記実施の形態では、足部３０及び胴部４０の内表面から外表面に向かって積層される部材がスポンジゴム１１から爪先ゴム１７あるいは踵ゴム１９である場合を説明したが、更に別の部材が任意の部位に積層されてもよい。
【符号の説明】
【００４９】
１０    安全長靴
１２    先芯
１２ａ    下端縁
１３    第１補強部材
１４    第２補強部材
２０    靴底部
２０ａ    中底
２０ｂ    靴底
２４    突出部
３０    足部
４０    胴部
【図１】
2020142029.tif 000003
【図２】
2020142029.tif 000004
【図３】
2020142029.tif 000005
【図４】
2020142029.tif 000006